(57)【要約】【課題】プラズマディスプレイパネルを提供すること。【解決手段】第１基板と、前記第１基板と互いに離隔されて対向配置された第２基板と、第１基板と第２基板との間に配置され、放電を引き起こす空間である放電セルを区切る隔壁と電圧が印加される共通電極であるＸ電極及び走査電極であるＹ電極を備える電極が形成されている電極シートと、を備え、電極シートには、電極と電気的に連結される少なくとも一つの電極端子部が形成されたプラズマディスプレイパネル。本発明によれば、製造工程中に電極端子部の損傷を防止し、電極及び電極端子部の製造工程を単純化し得る、プラズマディスプレイパネルが提供される。【選択図】図２
2006253130.tif 000002
【特許請求の範囲】
【請求項１】
第１基板と、
前記第１基板と互いに離隔されて対向配置された第２基板と、
前記第１基板と前記第２基板との間に配置され、放電を引き起こす空間である放電セルを区切る隔壁と、電圧が印加される共通電極であるＸ電極及び走査電極であるＹ電極を備える電極と、が形成される電極シートと、を備え、
前記電極シートには、前記電極と電気的に連結される少なくとも一つの電極端子部が形成されることを特徴とするプラズマディスプレイパネル。
【請求項２】
前記電極シートの一端部には、前記Ｘ電極と電気的に連結されるＸ電極端子部が形成され、他端部には、前記Ｙ電極と電気的に連結されるＹ電極端子部が形成されることを特徴とする、請求項１に記載のプラズマディスプレイパネル。
【請求項３】
前記Ｘ電極端子部及び前記Ｙ電極端子部のうち少なくとも一つの端子部は、前記電極シートの前記第１基板に向けた面上に露出するように形成されたことを特徴とする、請求項２に記載のプラズマディスプレイパネル。
【請求項４】
前記Ｘ電極端子部及び前記Ｙ電極端子部のうち少なくとも一つの端子部は、前記電極シートの前記第２基板に向けた面上に露出するように形成されたことを特徴とする、請求項２に記載のプラズマディスプレイパネル。
【請求項５】
前記Ｘ電極端子部及び前記Ｙ電極端子部のうち少なくとも一つの端子部は、前記電極シートの側端面上に露出するように形成されたことを特徴とする、請求項２に記載のプラズマディスプレイパネル。
【請求項６】
前記電極シートは、前記電極シートの前記Ｘ電極端子部が形成される一端部及び前記Ｙ電極端子部が形成される他端部が前記第１基板及び前記第２基板のうち少なくとも一つの基板の外側に延在して外部に露出するように形成されることを特徴とする、請求項２に記載のプラズマディスプレイパネル。
【請求項７】
前記放電セル内には、放電ガスと蛍光体層が備えられることを特徴とする、請求項１に記載のプラズマディスプレイパネル。
【請求項８】
前記電極シートに形成される電極は、前記隔壁内で放電セルを取り囲むように配置され、互いに離隔しており、相互作用によって前記放電セル内でガス放電を引き起こす少なくとも一つのＸ電極及び少なくとも一つのＹ電極を含むことを特徴とする、請求項１に記載のプラズマディスプレイパネル。
【請求項９】
前記Ｘ電極は、一方向に配置された前記放電セルを取り囲みつつ、延在することを特徴とする、請求項１に記載のプラズマディスプレイパネル。
【請求項１０】
前記Ｙ電極は、一方向に配置された前記放電セルを取り囲みつつ、延在することを特徴とする、請求項１に記載のプラズマディスプレイパネル。
【請求項１１】
前記電極シートに形成される電極は、前記隔壁内で前記放電セルを挟んで互いに対向して配置され、互いに離隔しており、相互作用によって前記放電セル内でガス放電を引き起こす少なくとも一つのＸ電極及び少なくとも一つのＹ電極を含むことを特徴とする、請求項１に記載のプラズマディスプレイパネル。
【請求項１２】
前記Ｘ電極は、一方向に延在し、前記Ｙ電極は、前記Ｘ電極と平行に延在することを特徴とする、請求項１１に記載のプラズマディスプレイパネル。
【請求項１３】
前記Ｘ電極及び前記Ｙ電極は、一方向に延在するストライプ状を有することを特徴する、請求項１１に記載のプラズマディスプレイパネル。
【請求項１４】
前記電極シートは、前記隔壁の少なくとも一部を覆うように配置された保護層をさらに備えることを特徴とする、請求項１に記載のプラズマディスプレイパネル。
【請求項１５】
前記隔壁は、誘電体であることを特徴とする、請求項１に記載のプラズマディスプレイパネル。
【請求項１６】
前記隔壁と前記第１基板とが画成する前記第１基板の空間に前記蛍光体層が配置されることを特徴とする、請求項１に記載のプラズマディスプレイパネル。
【請求項１７】
前記隔壁と前記第２基板とが画成する前記第２基板の空間に前記蛍光体層が配置されることを特徴とする、請求項１に記載のプラズマディスプレイパネル。
【請求項１８】
前記Ｘ電極は一方向に延在し、前記Ｙ電極は前記Ｘ電極が延在する方向と交差するように延在することを特徴とする、請求項１に記載のプラズマディスプレイパネル。
【請求項１９】
前記Ｘ電極及び前記Ｙ電極は、互いに平行に延在し、前記Ｘ電極及び前記Ｙ電極が延在する方向と交差するように延在するアドレス電極がさらに配置されることを特徴とする、請求項１に記載のプラズマディスプレイパネル。
【請求項２０】
前記アドレス電極は、前記第２基板に配置されることを特徴とする、請求項１９に記載のプラズマディスプレイパネル。
【請求項２１】
前記第２基板には誘電体層が配置され、前記アドレス電極は、前記誘電体層内に配置されることを特徴とする、請求項１９に記載のプラズマディスプレイパネル。
【請求項２２】
前記アドレス電極は、前記電極シートに配置されることを特徴とする、請求項１９に記載のプラズマディスプレイパネル。
【請求項２３】
前記電極シートの、前記Ｘ電極端子部及び前記Ｙ電極端子部が形成されない一端部には、アドレス放電を引き起こすアドレス電極と電気的に連結されるアドレス電極端子部がさらに形成されることを特徴とする、請求項１９に記載のプラズマディスプレイパネル。
【請求項２４】
前記電極シートの、前記Ｘ電極端子部及び前記Ｙ電極端子部が形成されない両端部には、アドレス放電を引き起こすアドレス電極と電気的に連結されるアドレス電極端子部がさらに形成されることを特徴とする、請求項１９に記載のプラズマディスプレイパネル。
【請求項２５】
前記電極シートは、前記電極シートの前記Ｘ電極端子部が形成される一端部、前記Ｙ電極端子部が形成される他端部、及び前記アドレス電極端子部が形成される端部が前記第１基板及び前記第２基板のうち少なくとも一つの基板の外側に延在して外部に露出するように形成されることを特徴とする、請求項１９に記載のプラズマディスプレイパネル。
【請求項２６】
前記電極シートは、ＴＦＣＳ方式によって形成されることを特徴とする、請求項１から請求項２５までの何れか１項に記載のプラズマディスプレイパネル。
【発明の詳細な説明】
【技術分野】
【０００１】
本発明は、製造工程中に電極端子部の損傷を防止し、電極及び電極端子部の製造工程を単純化し得るプラズマディスプレイパネルに関する。
【背景技術】
【０００２】
プラズマディスプレイパネル（ＰＤＰ）は、ガス放電現象を利用して画像を表示する平板ディスプレイパネルであって、薄型化が可能であり、広視野角を有する高画質大画面を具現できるので、最近脚光を浴びている。
【０００３】
このようなＰＤＰは、互いに離隔して対向配置された第１基板及び第２基板を備え、このようなＰＤＰ内に放電を引き起こす空間である放電セル及び電圧が印加される電極を備える。このような電極間に印加される直流または交流電圧によって放電セル内で放電が発生し、放電ガスから放出する紫外線が蛍光体を励起させ、可視光を発光させることによって、画像を表示する。
【０００４】
また、ＰＤＰに備えられた複数の電極は、アドレス放電を引き起こすアドレス電極と、放電を維持させる維持電極と、よりなるが、このような電極は、信号伝達手段によってＰＤＰを駆動する電気信号を発生させる駆動回路部と電気的に連結される。ここで、このような維持電極は、共通電極であるＸ電極、及びアドレス電極と共にアドレス放電を引き起こす走査電極であるＹ電極を備える。
【０００５】
また、このような電極は、電極端子部を経由して信号伝達手段と電気的に連結される。
図１は、従来のＰＤＰを示す概略図である。
【０００６】
図１に示すように、Ｘ電極端子部１０６ａ及びＹ電極端子部１０７ａは、第１基板１０１の一端部及び他端部に形成されており、アドレス電極端子部１０３ａは、第２基板１０２の両端部にＸ電極端子部１０６ａ及びＹ電極端子部１０７ａと交差する方向に形成される。ここで、このようなアドレス電極端子部１０３ａは、第２基板１０２の両端部でない一端部にのみ形成し得る。
【０００７】
また、このような各電極端子部１０６ａ、１０７ａ、１０３ａの一端部は、信号伝達手段（図示せず）と電気的に連結され、その他端部は、各電極（図示せず）と電気的に連結される。
【０００８】
したがって、放電のために駆動回路部（図示せず）から電気信号が発生すると、その電気信号は、順次に信号伝達手段及び各電極端子部１０６ａ、１０７ａ、１０３ａを経由した後、各電極に伝えられて放電を引き起こす。
【０００９】
一方、このような電極端子部１０６ａ、１０７ａ、１０３ａを第１基板１０１及び第２基板１０２に形成するためには、このような電極端子部１０６ａ、１０７ａ、１０３ａを電極と共に形成し、その後、通常、洗浄工程を経る。
【００１０】
ところで、従来の電極端子部１０６ａ、１０７ａ、１０３ａは、前記のような洗浄工程時に加えられる物理的な力や水分などの侵入により、形成後に容易に破損するという問題点があった。
【発明の開示】
【発明が解決しようとする課題】
【００１１】
本発明は、前記問題点を解決するためのものであって、本発明の目的は、電極及び電極端子部をシート状の電極シートに形成し、このような電極シートを一対の基板間に配置することによって、製造工程中に電極端子部の損傷を防止し得るＰＤＰを提供することである。
【００１２】
本発明の他の目的は、電極及びその電極端子部を同じ電極シートに共に形成することによって、電極の製造工程を単純化し得るＰＤＰを提供することである。
【課題を解決するための手段】
【００１３】
前記の目的及びその他の目的を達成するために、本発明は、第１基板と、前記第１基板と互いに離隔して対向配置された第２基板と、前記第１基板と前記第２基板の間に配置され、放電を引き起こす空間である放電セルを区切る隔壁と電圧が印加される共通電極であるＸ電極及び走査電極であるＹ電極を備える電極とが形成される電極シートと、を備え、前記電極シートには、前記電極と電気的に連結される少なくとも一つの電極端子部が形成されるＰＤＰを提供する。
【００１４】
ここで、前記電極シートの一端部には、前記Ｘ電極と電気的に連結されるＸ電極端子部が形成され、他端部には、前記Ｙ電極と電気的に連結されるＹ電極端子部が形成されることが望ましい。
【００１５】
この場合、前記Ｘ電極端子部及び前記Ｙ電極端子部のうち少なくとも一つの端子部は、前記電極シートの前記第１基板に向けた面上に露出するように形成しても良く、前記電極シートの前記第２基板に向けた面上に露出するように形成しても良く、前記電極シートの側端面上に露出するように形成しても良い。
【００１６】
また、この場合、前記電極シートは、前記電極シートの前記Ｘ電極端子部が形成される一端部及び前記Ｙ電極端子部が形成される他端部が前記第１基板及び前記第２基板のうち少なくとも一つの基板の外側に延在して外部に露出するように形成されることが望ましい。さらに、前記放電セル内には放電ガスと蛍光体層とが備えられたことが望ましい。
【００１７】
さらに、前記電極シートに形成されている電極は、前記隔壁内で放電セルを取り囲むように配置され、互いに離隔しており、相互作用によって前記放電セル内でガス放電を引き起こす少なくとも一つのＸ電極及び少なくとも一つのＹ電極を備えることが望ましいが、本発明はこれに限定されるものではない。
【００１８】
この場合、前記Ｘ電極は、一方向に配置された前記放電セルを取り囲みつつ、延在することが望ましい。また、この場合、前記Ｙ電極は、一方向に配置された前記放電セルを取り囲みつつ、延在することが望ましい。
【００１９】
また、前記電極シートに形成される電極は、前記隔壁内で前記放電セルを挟んで互いに対向して配置され、互いに離隔しており、相互作用によって前記放電セル内でガス放電を引き起こす少なくとも一つのＸ電極及び少なくとも一つのＹ電極を備えても良い。
【００２０】
この場合、前記Ｘ電極は一方向に延在し、前記Ｙ電極は前記Ｘ電極と平行に延在することが望ましい。
【００２１】
また、この場合、前記Ｘ電極及び前記Ｙ電極は、一方向に延在するストライプ状を有することが望ましい。
【００２２】
また、前記電極シートは、前記隔壁の少なくとも一部を覆うように配置された保護層をさらに備えても良い。
【００２３】
また、前記隔壁は、誘電体であることが望ましいが、本発明はこれに限定されるものではない。
【００２４】
また、前記隔壁と前記第１基板とが画成する前記第１基板の空間に前記蛍光体層を配置しても良い。
【００２５】
また、前記隔壁と前記第２基板とが画成する前記第２基板の空間に前記蛍光体層を配置しても良い。
【００２６】
また、前記Ｘ電極は一方向に延在し、前記Ｙ電極は前記Ｘ電極が延在する方向と交差するように延在しても良い。
【００２７】
また、前記Ｘ電極及び前記Ｙ電極は、互いに平行に延在し、前記Ｘ電極及び前記Ｙ電極が延在する方向と交差するように延在するアドレス電極をさらに配置することもある。
【００２８】
この場合、前記アドレス電極は、前記第２基板に配置しても良い。
【００２９】
ここで、前記第２基板には誘電体層が配置され、前記アドレス電極は、前記誘電体層内に配置されることが望ましい。
【００３０】
また、この場合、前記アドレス電極は、前記電極シートに配置しても良い。
【００３１】
ここで、前記電極シートの前記Ｘ電極端子部及び前記Ｙ電極端子部が形成されない一端部には、アドレス放電を引き起こすアドレス電極と電気的に連結されるアドレス電極端子部をさらに形成されることが望ましいが、本発明はこれに限定されるものではない。
【００３２】
また、ここで、前記電極シートの前記Ｘ電極端子部及び前記Ｙ電極端子部が形成されない両端部には、アドレス放電を引き起こすアドレス電極と電気的に連結されるアドレス電極端子部をさらに形成しても良い。
【００３３】
また、ここで、前記電極シートは、前記電極シートの前記Ｘ電極端子部が形成される一端部、前記Ｙ電極端子部が形成される他端部、及び前記アドレス電極端子部が形成される端部が前記第１基板及び前記第２基板のうち少なくとも一つの基板の外側に延在して外部に露出するように形成されることが望ましい。
【００３４】
また、前記電極シートは、ＴＦＣＳ方式によって形成されることが望ましいが、本発明はこれに限定されるものではなく、同一目的を達成できる限り、前記電極シートは、他の多様な方法で形成可能である。
【発明の効果】
【００３５】
本発明に係るＰＤＰは、電極及び電極端子部をシート状の電極シートに形成し、このような電極シートを一対の基板間に配置することによって、製造工程中に電極端子部が損傷することを防止し得る。
【００３６】
また、本発明に係るＰＤＰは、電極及びその電極端子部を同じ電極シートに共に形成することによって、電極の製造工程を単純化し得る。
【発明を実施するための最良の形態】
【００３７】
以下、添付された図面を参照しながら、本発明の望ましい実施形態を詳細に説明する。
【００３８】
図２〜図６Ａに示すように、本発明の第１実施形態によるＰＤＰ２００は、第１基板２０１、前記第１基板２０１と互いに離隔して対向配置された第２基板２０２、第１基板２０１と第２基板２０２との間に配置され、放電を引き起こす空間である放電セル２２０、２２１を区切る第１隔壁２０５ａ、及び電圧が印加される共通電極であるＸ電極２０６及び走査電極であるＹ電極２０７が形成される電極シート２１５を備える。
【００３９】
前記のようなＰＤＰ２００は、電極シート２１５を中心としてその一面には第１基板２０１が配置され、その他面には第２基板２０２が配置される構造を有する。
【００４０】
ここで、電極シート２１５は、ＴＦＣＳ(Thick Film Ceramic Sheet)方式により形成されることが望ましいが、これに限定されるものではなく、他の多様な方法で形成されることもある。ここで、ＴＦＣＳ方式とは、セラミック基板に発泡、印刷、及び乾燥工程を経て所望の高品質のパターンを形成する技術である（１０ｔｈ International Display Workshops(idw03)、８９７ページ参照）。
【００４１】
また、電極シート２１５には、維持放電のための維持電極であるＸ電極２０６及びＹ電極２０７をそれぞれ電気的に連結する少なくとも一つの電極端子部２０６ａ、２０７ａが形成されることが望ましい。
【００４２】
かかる構成により、従来のＰＤＰにおいて電極端子部が第１基板及び第２基板に形成されることによって、製造工程中に加えられる物理的な力によりこのような電極端子部が容易に破損する問題点を解決し得る。
【００４３】
また、最近では、既存の一対の基板のうち少なくとも一つの基板に形成される電極を備えたＰＤＰの代りに、電極が別途に形成されるシート状の電極シートを備えたＰＤＰが開発されて既存のＰＤＰを急速に置き換えつつあるので、今後、前記のような電極シートを備えたＰＤＰにおける電極端子部の破損を防止し、製造工程の単純化が可能に電極端子部を電極シートに形成することが望ましく、したがって、急変する関連技術変化に能動的に対処することができる。
【００４４】
さらに、このような電極シート２１５の一端部には共通電極であるＸ電極２０６と電気的に連結されるＸ電極端子部２０６ａが形成され、他端部には走査電極であるＹ電極２０７と電気的に連結されるＹ電極端子部２０７ａが形成されることが望ましい。
【００４５】
これにより、信号伝達手段２３０は、このような電極シート２１５上に形成される各電極端子部２０６ａ、２０７ａの一端部と電気的に連結される。ここで、前記信号伝達手段としては、フレキシブルプリント回路またはテープキャリヤパッケージ(Tape Carrier Package:TCP)などの連結線が使われるが、これは、前記電極端子部２０６ａ、２０７ａ及びＰＤＰ２００を駆動する電気信号を発生させる駆動回路部（図示せず）を電気的に連結する連結手段である。
【００４６】
この場合、Ｘ電極端子部２０６ａ及びＹ電極端子部２０７ａのうち少なくとも一つの端子部は、図５及び図６Ａに示すように、電極シート２１５の第１基板２０１に向けた面上に露出するように形成されることが望ましい。これにより、信号伝達手段２３０がこのような電極端子部２０６ａ、２０７ａを覆って相互に密着して配置し得る。さらに具体的には、Ｘ電極端子部２０６ａは、図６Ａに示すように、電極シート２１５の最外郭の放電セル２２０の外側のダミーセル２２１を区切る第１隔壁２０５ａ内に配置されて維持放電に参与するＸ電極２０６から延在して電極シート２１５のダミー部２５０上に形成され、このようなダミー部２５０と後述する第２基板２０２上の誘電体層２０４との間にはフリットガラスのような密封部２４０が配置されて内部空間を密閉する。また、図示していないが、Ｙ電極端子部２０７ａの配置構造もＸ電極端子部２０６ａの場合とほぼ同じである。
【００４７】
しかし、本発明がこれに限定されるものではなく、Ｘ電極端子部２０６ａ及びＹ電極端子部２０７ａのうち少なくとも一つの端子部は、図示していないが、電極シート２１５の第２基板２０２に向けた面上に露出するように形成しても良い。
【００４８】
さらに、電極シート２１５は、このような電極シート２１５のＸ電極端子部２０６ａが形成される一端部及びＹ電極端子部２０７ａが形成される他端部が、第１基板２０１及び第２基板２０２のうち少なくとも一つの基板の外側に延在して外部に露出するように形成されることが望ましい。さらに具体的には、図６Ａには、電極シート２１５のＸ電極端子部２０６ａが形成される端部は、第１基板２０１の外側に延在して突出し、第２基板２０２の端部とは一致することを図示している。また、図示していないが、電極シート２１５のＹ電極端子部２０７ａの構造及び両基板２０１、２０２間での配置構造もＸ電極端子部２０６ａの場合とほぼ同じである。これにより、信号伝達手段２３０を電極端子部２０６ａ、２０７ａに連結させることに要する作業空間を確保することができる。しかし、本発明はこれに限定されるものではない。
【００４９】
一方、このような電極シート２１５においてガス放電が発生する空間である放電セル２２０及びガス放電が発生しない空間であるダミーセル２２１が形成されるセル領域Ａ１は、電極シート２１５のＸ電極端子部２０６ａが形成される一端部及びＹ電極端子部２０７ａが形成される他端部の間の中央部に、これら両端部とはそれぞれ離隔して形成される。
【００５０】
また、ガス放電が発生する空間である放電セル２２０及びガス放電が発生しない空間であるダミーセル２２１を区切る隔壁２０５は、第１隔壁２０５ａと第２隔壁２０５ｂを備えて形成され、第１隔壁２０５ａは電極シート２１５に形成され、第２隔壁２０５ｂは第２基板２０２に形成されることが望ましい。しかし、本発明はこれに限定されるものではなく、これら隔壁２０５ａ、２０５ｂは、全て電極シート２１５に形成されることもある。
【００５１】
また、このような放電セル２２０内には放電ガスと蛍光体層２１０が備えられる。
【００５２】
また、このような放電ガスは、キセノン（Ｘｅ）ガスを含んだネオン（Ｎｅ）、ヘリウム（Ｈｅ）、またはアルゴン（Ａｒ）のうち何れか一つ、またはこれらのうち二つ以上の混合ガスから構成し得る。
【００５３】
また、このような蛍光体層２１０は、ＰＤＰ２００がカラー画像を表示できるように、赤色発光、緑色発光及び青色発光の蛍光体に区分され、このような赤色発光、緑色発光及び青色発光の蛍光体を放電セル２２０の内部に配置して組み合わせることによって、カラー画像を表示する単位画素を形成する。
【００５４】
また、このような赤色発光蛍光体としては、例えば、（Ｙ，Ｇｄ）ＢＯ３：Ｅｕ３＋などがあり、緑色発光蛍光体としては、例えば、Ｚｎ２ＳｉＯ４：Ｍｎ２＋などがあり、青色発光蛍光体としては、ＢａＭｇＡｌ１０Ｏ１７：Ｅｕ２＋などが有り得る。
【００５５】
一方、添付図面には本実施形態によるＰＤＰ２００に隔壁内蔵型電極方式及びリングプラズマ方式が適用されたものとして図示されているが、本発明はこれに限定されるものではなく、本発明に係るＰＤＰには、３電極面放電方式または後述する対向型サステイン方式などの多様な方式を適用し得る。
【００５６】
ここで、リングプラズマ方式とは、維持放電のための維持電極２０６、２０７が放電セル２２０を取り囲むように配置することによって、放電セル２２０内でガス放電が発生する場合にリングのような形状になる方式をいう。
【００５７】
すなわち、電極シート２１５に形成される電極は、隔壁２０５内で放電セル２２０を取り囲むように配置され、互いに離隔しており、相互作用によって放電セル２２０内でガス放電を引き起こす少なくとも一つのＸ電極２０６及び少なくとも一つのＹ電極２０７を備えることが望ましい。ここで、Ｘ電極２０６は共通電極であり、Ｙ電極２０７は走査電極である。
【００５８】
さらに具体的には、Ｘ電極２０６は、第１隔壁２０５ａ内で一方向に配置された放電セル２２０を取り囲みつつ延在し、Ｙ電極２０７は、第１隔壁２０５ａ内で一方向に配置された放電セル２２０を取り囲みつつ延在する。
【００５９】
また、このような維持電極２０６、２０７は、第１隔壁２０５ａ内に配置されるので、放電セル２２０から放出される可視光の透過を妨害しない。したがって、このような維持電極２３０は、透明なＩＴＯ(Indium Tin Oxide)電極から形成する必要がなく、安価で、かつ電気伝導度の良いＡｇ、Ｃｕ、Ｃｒなどから形成し得る。これにより、ＩＴＯ電極による画面の不均一及び製造コストの上昇を防止し得る。
【００６０】
さらに、Ｘ電極２０６は一方向に延在し、Ｙ電極２０７はＸ電極２０６が延在する方向と交差するように延在することもある。この場合、このような両電極２０６、２０７の間に電圧を印加することによって放電が開始する放電セル２２０が選択できるので、後述するアドレス電極２０３が不要となる。
【００６１】
さらに、電極シート２１５は、隔壁２０５の少なくとも一部を覆うように配置された保護層２０９をさらに備えることが望ましいが、このような保護層２０９は本発明の必須構成要素ではない。
【００６２】
ここで、前記保護層２０９は、ＭｇＯなどを用いて蒸着などの方法により配置され、可視光の進行経路上に配置されていないので、２次電子放出の特性が良い。
【００６３】
また、前記保護層２０９は、耐久性の強いカーボンナノチューブ（ＣＮＴ）などの材料より形成し得る。
【００６４】
さらに、隔壁２０５は、Ｐｂ、Ｂ、Ｓｉ、Ａｌ、及びＯのような元素を含むガラス成分より形成され、必要によって、ＺｒＯ２、ＴｉＯ２、及びＡｌ２Ｏ３のようなフィラーとＣｒ、Ｃｕ、Ｃｏ、Ｆｅ、ＴｉＯ２のような顔料を追加で含む誘電体より形成し得る。
【００６５】
ここで、隔壁２０５の構成物質として誘電体を使用する場合、隔壁２０５内に配置された維持電極２０６、２０７にパルス電圧を印加する際に、荷電粒子を誘導して放電に参与する壁電荷を蓄積することによって、メモリ効果を通じて駆動を可能にし、かかる維持電極２０６、２０７が放電時に加速される荷電粒子の衝突によって損傷することを防止する役割を果たす。
【００６６】
さらに、第２隔壁２０５ｂと第２基板２０２とが画成する第２基板２０２の空間には、蛍光体層２１０が配置されることもある。また、かかる蛍光体層２１０は、第１隔壁２０５ａと第１基板２０１とが画成する第１基板２０１の空間に配置しても良く、第１基板２０１及び第２基板２０２の全部に配置しても良い。
【００６７】
さらに、Ｘ電極２０６及びＹ電極２０７は、互いに平行に延在し、第２基板２０２には、このようなＸ電極２０６及びＹ電極２０７が延在する方向と交差するように延在するアドレス電極２０３をさらに配置しても良い。このようなアドレス電極２０３の配置により、アドレス電極２０３及び放電のための維持電極２０６、２０７のうち走査電極であるＹ電極２０７を適切に選択することによって、放電が発生する放電セル２２０の選択が可能になる。
【００６８】
この場合、第２基板２０２には誘電体層２０４が配置され、アドレス電極２０３はかかる誘電体層２０４内に配置されることが望ましい。
【００６９】
一方、アドレス電極２０３を覆う誘電体層２０４は必須構成要素ではない。これは、蛍光体層２１０がアドレス電極２０３を覆うように配置されると、このような蛍光体層２１０が誘電体層２０４と同じ役割を果たすためである。
【００７０】
一方、本発明に係るＰＤＰが備える第１基板、電極シート、及び第２基板の構成は、これに限定されず、他の多様な形態の構成が可能である。
【００７１】
すなわち、放電のための維持電極２０６、２０７は、図５及び図６Ａには第１隔壁２０５ａ内に全て配置されるものとして図示したが、本発明はこれに限定されるものではなく、このような維持電極２０６、２０７は、隣接する第１隔壁２０５ａ内にＸ電極２０６とＹ電極２０７を交互に配置しても良く、第１隔壁２０５ａでない第２隔壁２０５ｂ内に全て配置しても良く、第１隔壁２０５ａ及び第２隔壁２０５ｂに分割して配置しても良い。
【００７２】
また、放電のための維持電極２０６、２０７は、一つの隔壁２０５に１個または２個が配置可能であるだけでなく、一つの隔壁２０５に３個または４個以上を配置することもある。
【００７３】
また、図５及び図６Ａには、放電セル２２０及びダミーセル２２１が閉鎖形の横断面を有するものとして図示したが、本発明はこれに限定されるものではなく、その他に放電セル２２０及びダミーセル２２１の横断面は、ストライプ状に形成されることもある。しかし、放電セル２２０の横断面が閉鎖形である場合には、放電のための維持電極２０６、２０７が隔壁２０５内に配置されて放電セル２２０を取り囲むように配置することができるので、立体放電を引き起こして放電量を増加させるメリットがある。
【００７４】
また、アドレス電極２０３及び／又は誘電体層２０４は、図示していないが、第２基板２０２でない電極シート２１５に形成しても良い。
【００７５】
前記のように構成された本発明の第１実施形態によるプラズマパネル２００の作動過程を以下に説明する。
【００７６】
まず、アドレス電極２０３とＹ電極２０７の間にアドレス電圧が印加されることによってアドレス放電が発生し、このアドレス放電の結果として維持放電が発生する、放電セル２２０が選択される。
【００７７】
その後、前記のように選択された放電セル２２０のＸ電極２０６とＹ電極２０７との間に放電維持電圧が印加されると、Ｘ電極２０６とＹ電極２０７とに蓄積された壁電荷の移動で維持放電が発生し、この維持放電時に励起された放電ガスのエネルギー準位が低くなりつつ、紫外線が放出される。
【００７８】
そして、この紫外線が放電セル２２０内に塗布された蛍光体２１０を励起させるが、この励起された蛍光体２１０のエネルギー準位が低くなりつつ可視光が放出され、この可視光が第１基板２０１を透過して出射されながら、ユーザーが認識できる画像を形成する。
【００７９】
図６Ｂは、図２に備えられた電極端子部の変形例を図６Ａに対応して示す部分切開断面図である。
【００８０】
本変形例によるＰＤＰは、第１基板２０１´、電極シート２１５´及び第２基板２０２´を備える。
【００８１】
また、電極シート２１５´には、放電セル２２０´及びダミーセル２２１´、第１隔壁２０５ａ´、保護層２０９´、維持電極２０６´、２０７´、Ｘ電極端子部２０６ａ´、Ｙ電極端子部、及びダミー部２５０´が備えられる。
【００８２】
また、第２基板２０２´には、アドレス電極２０３´、誘電体層２０４´、第２隔壁２０５ｂ´、蛍光体層２１０´及び密封部２４０´が備えられる。
【００８３】
図６ＢのＸ電極端子部２０６ａ´が図６ＡのＸ電極端子部２０６ａと異なる点は、本変更例のＸ電極端子部２０６ａ´は、その一部が電極シート２１５´のダミー部２５０´内にダミー部２５０´により完全に覆われるように配置され、残りの一部は、ダミー部２５０´の第１基板２０１´に向けた面上にその上部が露出されるように配置されることである。また、この場合、電極シート２１５´のＸ電極端子部２０６ａ´が形成される端部は、第１基板２０１´及び第２基板２０２´の端部と一致するように形成される。また、図示していないが、電極シート２１５´のＹ電極端子部（図示せず）の構造及び両基板２０１´、２０２´の間での配置構造もＸ電極端子部２０６ａ´の場合とほぼ同じである。
【００８４】
これにより、信号伝達手段２３０´が第１基板２０１´と電極シート２１５´との間に画成された空間に挿入されてＸ電極端子部２０６ａ´と密着する。
【００８５】
図７は、前記第１実施形態によるＰＤＰの変形例を示す部分切開断面図である。本変形例によるＰＤＰは、第１基板３０１、電極シート３１５、及び第２基板３０２を備える。
【００８６】
また、電極シート３１５には、放電セル３２０及びダミーセル３２１、第１隔壁３０５ａ、保護層３０９、維持電極３０６、３０７、Ｘ電極端子部３０６ａ、Ｙ電極端子部（図示せず）、及び電極シート３１５のダミー部３５０が備えられる。
【００８７】
また、第２基板３０２には、アドレス電極３０３、誘電体層３０４、第２隔壁３０５ｂ、蛍光体層３１０、及び密封部３４０が備えられる。
【００８８】
ここで、第１基板３０１と第２基板３０２とは、所定間隔で離隔してこれらの間に配置された隔壁３０５ａ、３０５ｂにより区画される複数の放電セル３２０及びダミーセル３２１を画定する。
【００８９】
また、所定の放電セル３２０を挟んで対向する第１隔壁３０５ａ内には、維持電極３０６、３０７がそれぞれ互いに対向して配置される。
【００９０】
かかる維持電極３０６、３０７は、それぞれＸ電極３０６及びＹ電極３０７を備える。より具体的には、所定の第１隔壁３０５ａ内には、Ｘ電極３０６が配置され、この第１隔壁３０５ａと対向する隣接する他の第１隔壁３０５ａ内には、Ｘ電極３０６と対をなすＹ電極３０７が配置される。
【００９１】
この場合、Ｘ電極３０６は一方向に延在し、Ｙ電極３０７はＸ電極３０６と平行に延在することが望ましい。
【００９２】
また、かかるＸ電極３０６及びＹ電極３０７は、一方向に延在するストライプ状を有することが望ましいが、本発明はこれに限定されるものではない。
【００９３】
一方、第１基板３０１内には維持電極３０６、３０７と交差する方向に延在するアドレス電極３０３が配置される。ここで、アドレス電極３０３は、放電セル３２０を横切って延在し、ストライプ状を有する。
【００９４】
その他に、蛍光体層３１０、保護層３０９、誘電体層３０４、隔壁３０５ａ、３０５ｂ、Ｘ電極端子部３０６ａ及びＹ電極端子部（図示せず）、電極シート３１５のダミー部３５０、及び密封部３４０の構造及び材質は、前記した図５及び図６に示す隔壁内蔵型の電極及びリングプラズマ方式のＰＤＰの場合とほぼ同じなので、その詳細な説明は省略する。
【００９５】
図７のように構成したＰＤＰは、隔壁内蔵型電極及び対向型サステイン方式である。
【００９６】
図８は、前記第１実施形態によるＰＤＰに備えられた電極端子部の配置構造の変形例を示す概略図であり、図９Ａは、図８のＰＤＰを前記第１実施形態の図６に対応して示す部分切開断面図である。
【００９７】
本変形例によるＰＤＰ４００は、第１基板４０１、電極シート４１５、及び第２基板４０２を備える。
【００９８】
また、電極シート４１５には、放電セル４２０及びダミーセル４２１、第１隔壁４０５ａ、保護層４０９、維持電極４０６、４０７、Ｘ電極端子部４０６ａ、Ｙ電極端子部４０７ａ、及びダミー部４５０が備えられる。
【００９９】
また、第２基板４０２には、アドレス電極４０３、誘電体層４０４、第２隔壁４０５ｂ、蛍光体層４１０、及び密封部４４０が備えられる。
【０１００】
本変形例が第１実施形態と異なる点は、本変形例によるＰＤＰ４００では、Ｘ電極端子部４０６ａ及びＹ電極端子部４０７ａのうち少なくとも一つの端子部は、電極シート４１５の側端面上に露出するように形成されることである。すなわち、図９Ａに示すように、Ｘ電極端子部４０６ａは、ダミー部４５０内にその側端面以外は完全に覆われるように配置され、その端部が逆コ字状に形成されるので、このような逆コ字状の空間に信号伝達手段４３０を挿入することによって、これら両者４０６ａ、４３０を互いに密着させる。また、この場合、電極シート４１５のＸ電極端子部４０６ａが形成される端部は、第１基板４０１及び第２基板４０２の端部の内側に位置するように形成されることが望ましい。
【０１０１】
参考までに、信号伝達手段４３０の端部もコ字状に形成されて上部はＸ電極端子部４０６ａと密着し、下部はダミー部４５０の下段部と密着することによって、このような信号伝達手段４３０はダミー部４５０に堅固に結合される。
【０１０２】
一方、詳細に図示していないが、電極シート４１５のＹ電極端子部４０７ａの構造及び両基板４０１、４０２の間での配置構造もＸ電極端子部４０６ａの場合とほぼ同じである。
【０１０３】
一方、このような電極シート４１５においてガス放電が発生する放電セル（図示せず）及びガス放電が発生しないダミーセル（図示せず）が形成されるセル領域Ａ２は、電極シート４１５のＸ電極端子部４０６ａが形成される一端部とＹ電極端子部４０７ａが形成される他端部との間の中央部に、これら両端部とはそれぞれ離隔して形成される。
【０１０４】
図９Ｂは、図８に備えられた電極端子部の変形例を図６に対応して示す部分切開断面図である。
【０１０５】
本変形例によるＰＤＰは、第１基板４０１´、電極シート４１５´及び第２基板４０２´を備える。
【０１０６】
また、電極シート４１５´には、放電セル４２０´及びダミーセル４２１´、第１隔壁４０５ａ´、保護層４０９´、維持電極４０６´、４０７´、Ｘ電極端子部４０６ａ´、Ｙ電極端子部４０７ａ´、及びダミー部４５０´が備えられる。
【０１０７】
また、第２基板４０２´には、アドレス電極４０３´、誘電体層４０４´、第２隔壁４０５ｂ´、蛍光体層４１０´、及び密封部４４０´が備えられる。
【０１０８】
図９ＢのＸ電極端子部４０６ａ´が図９ＡのＸ電極端子部４０６ａと異なる点は、本変更例のＸ電極端子部４０６ａ´は、その端部が逆コ字状に形成されておらず、その全体が一字状に形成されることである。この場合、電極シート４１５´のＸ電極端子部４０６ａ´が形成される端部は、第１基板４０１´及び第２基板４０２´の端部と一致するように形成されることが望ましい。また、図示していないが、電極シート４１５´のＹ電極端子部（図示せず）の構造及び両基板４０１´、４０２´の間での配置構造もＸ電極端子部４０６ａ´の場合とほぼ同じである。
【０１０９】
これにより、信号伝達手段４３０´が電極シート４１５´の側端面に配置されてＸ電極端子部４０６ａ´と密着する。
【０１１０】
図１０は、本発明の第２実施形態によるＰＤＰ５００を示す概略図である。
【０１１１】
本第２実施形態が第１実施形態と異なる点は、第２実施形態では、Ｘ電極端子部５０６ａ及びＹ電極端子部５０７ａだけでなく、アドレス電極端子部５０３ａも電極シート５１５に形成されるということである。このために、図示していないが、このようなアドレス電極端子部５０３ａの一端部と電気的に連結されるアドレス電極も電極シート５１５に共に形成されることが望ましい。これにより、このようなアドレス電極端子部５０３ａがＰＤＰ５００の両基板５０１、５０２のうち何れか一つの基板に、直接、形成する場合に依然として残存するアドレス電極端子部５０３ａが破損する危険性を除去可能であり、さらに多くの電極５０３、５０６、５０７が電極シート５１５に形成されることによって、電極の製造工程を単純化することができる。
【０１１２】
また、添付図面にはこのようなアドレス電極端子部５０３ａが電極シート５１５のＸ電極端子部５０６ａ及びＹ電極端子部５０７ａが形成されない両端部の全てに形成されたものとして図示しているが、本発明はこれに限定されるものではなく、このようなアドレス電極端子部５０３Ａは、電極シート５１５の両端部でない一端部にのみ形成しても良い。すなわち、本実施形態によるＰＤＰ５００には、シングルスキャン方式及びデュアルスキャン方式の走査方式が何れも適用可能である。
【０１１３】
また、電極シート５１５は、このような電極シート５１５のＸ電極端子部５０６ａが形成される一端部、Ｙ電極端子部５０７ａが形成される他端部、及びアドレス電極端子部５０３ａが形成される一端部または両端部が第１基板５０１及び第２基板５０２のうち少なくとも一つの基板の外側に延在して外部に露出するように形成することが望ましい。
【０１１４】
一方、このような電極端子部５０６ａ、５０７ａの具体的な配置構造は、前記第１実施形態の説明とほぼ同じであるので、その詳細な説明は省略する。
【０１１５】
これにより、前記した信号伝達手段（図示せず）をかかる電極端子部５０３ａ、５０６ａ、５０７ａに連結させることに要する作業空間を確保することができる。しかし、本発明はこれに限定されるものではない。
【０１１６】
一方、このような電極シート５１５においてガス放電が発生する放電セル（図示せず）及びガス放電が発生しないダミーセル（図示せず）が形成されるセル領域Ａ３は、電極シート５１５のＸ電極端子部５０６ａが形成される一端部とＹ電極端子部５０７ａが形成される他端部との間及びアドレス電極端子部５０３ａが形成される両端部の間の中央部に、これら端部とはそれぞれ離隔して形成される。
【０１１７】
図１１は、前記第２実施形態によるＰＤＰに備えられた電極端子部の配置構造の変形例を示す概略図である。
【０１１８】
本変形例が第２実施形態と異なる点は、本変形例によるＰＤＰ６００では、Ｘ電極端子部６０６ａ、Ｙ電極端子部６０７ａ、及びアドレス電極端子部６０３ａのうち少なくとも一つの端子部は、電極シート６１５の側端面上に露出するように形成されることである。ここで、このようなアドレス電極端子部６０３ａの具体的な構造及び配置構造は、前記第１実施形態の変形例で説明したＸ電極端子部の場合とほぼ同じなので、その詳細な説明は省略する。
【０１１９】
これにより、前記した信号伝達手段（図示せず）を電極シート６１５に挿入するか、これを電極シート６１５の側端面に単純に密着させることによって、かかる信号伝達手段（図示せず）と、電極端子部６０３ａ、６０６ａ、６０７ａと、を電気的に連結し得る。
【０１２０】
一方、このような電極シート６１５においてガス放電が発生する放電セル（図示せず）及びガス放電が発生しないダミーセル（図示せず）が形成されるセル領域Ａ４は、電極シート６１５のＸ電極端子部６０６ａが形成される一端部とＹ電極端子部６０７ａが形成される他端部との間及びアドレス電極端子部６０３ａが形成される両端部の間の中央部に、これら端部とはそれぞれ離隔して形成される。
【０１２１】
本発明を添付図面に図示した実施形態に基づいて説明してきたが、これは例示的なものに過ぎず、当業者ならばこれより多様な変形及び均等な他実施形態が可能であるという点を理解し得る。したがって、本発明の真の技術的保護範囲は特許請求の範囲の技術的思想により決定されるべきである。
【産業上の利用可能性】
【０１２２】
本発明は、プラズマディスプレイパネルの関連技術分野に好適に用いられる。
【図面の簡単な説明】
【０１２３】
【図１】従来のＰＤＰを示す概略図である。
【図２】本発明の第１実施形態によるＰＤＰを示す概略図である。
【図３】図２のＰＤＰにおける電極シート部分を示す平面図である。
【図４】図３の電極シートの内部を概略的に示す透過図である。
【図５】図２のＤ部分を拡大して示す部分切開分解斜視図である。
【図６Ａ】図５のＶＩ−ＶＩ線の部分切開断面図である。
【図６Ｂ】図２に備えられた電極端子部の変形例を図６Ａに対応して示す部分切開断面図である。
【図７】前記第１実施形態によるＰＤＰの変形例を示す部分切開断面図である。
【図８】前記第１実施形態によるＰＤＰに備えられた電極端子部の配置構造の変形例を示す概略図である。
【図９Ａ】図８のＰＤＰを前記第１実施形態の図６に対応して示す部分切開断面図である。
【図９Ｂ】図８に備えられた電極端子部の変形例を図６に対応して示す部分切開断面図である。
【図１０】本発明の第２実施形態によるＰＤＰを示す概略図である。
【図１１】前記第２実施形態によるＰＤＰに備えられた電極端子部の配置構造の変形例を示す概略図である。
【符号の説明】
【０１２４】
２００  プラズマディスプレイパネル
２０１  第１基板
２０２  第２基板
２０６ａ  Ｘ電極端子部
２１５  電極シート
【図１】
2006253130.tif 000003
【図２】
2006253130.tif 000004
【図３】
2006253130.tif 000005
【図４】
2006253130.tif 000006
【図５】
2006253130.tif 000007
【図６Ａ】
2006253130.tif 000008
【図６Ｂ】
2006253130.tif 000009
【図７】
2006253130.tif 000010
【図８】
2006253130.tif 000011
【図９Ａ】
2006253130.tif 000012
【図９Ｂ】
2006253130.tif 000013
【図１０】
2006253130.tif 000014
【図１１】
2006253130.tif 000015